(57)【要約】【課題】熱交換器に通風するための送風機から生ずる騒音を、簡単な構造で防止若しくは抑制した冷却装置を提供する。【解決手段】冷却装置１０は、冷凍サイクルの凝縮器２に通風するための送風機３を備えたものであって、送風機３は、モータ４と、このモータ４の回転軸５に取り付けられたファン６とから成り、このファン６は、所定のファンケーシング８内に配置されると共に、モータ３は、その回転軸５がファンケーシング８と直交する向きに対して所定の角度θで傾斜するように設けられている。【選択図】図１
2006284017.tif 000002
【特許請求の範囲】
【請求項１】
冷凍サイクルの熱交換器に通風するための送風機を備えた冷却装置において、
前記送風機は、モータと、該モータの回転軸に取り付けられたファンとから成り、該ファンは、所定のファンケーシング内に配置されると共に、前記モータは、その回転軸が前記ファンケーシングと直交する向きに対して所定の角度で傾斜するように設けられていることを特徴とする冷却装置。
【請求項２】
前記モータは、前記回転軸の前記ファン側が高くなるように配置されていることを特徴とする請求項１に記載の冷却装置。
【請求項３】
前記熱交換器及びファンケーシングをユニットベース上に配設すると共に、前記送風機を、ブラケットを介して前記ユニットベース上に設置し、該ブラケットを、前記ユニットベースと直交する方向に対して傾斜して設けたことを特徴とする請求項１又は請求項２に記載の冷却装置。
【請求項４】
前記ブラケットの底面が当接する位置の前記ユニットベースに、前記ブラケット底面の前記ファン側の部分に当接する凸部を、若しくは、前記ファンとは反対側の部分の前記ブラケット底面が落ち込む凹所を形成したことを特徴とする請求項３に記載の冷却装置。
【請求項５】
前記ユニットベースに当接する前記ブラケット底面の前記ファン側の部分に凸部を形成し、若しくは、ブラケット底面の前記ファンとは反対側の部分全体を凹ませたことを特徴とする請求項３に記載の冷却装置。
【請求項６】
前記熱交換器及びファンケーシングをユニットベース上に配設すると共に、前記送風機を、ブラケットを介して前記ユニットベース上に設置し、前記ファンケーシングを、前記ユニットベースと直交する方向に対して傾斜して設けたことを特徴とする請求項１又は請求項２に記載の冷却装置。
【請求項７】
前記ファンが位置する前記ファンケーシングのファン孔を、上下方向に長い長円形、若しくは、楕円形としたことを特徴とする請求項１乃至請求項６の何れかに記載の冷却装置。
【発明の詳細な説明】
【技術分野】
【０００１】
本発明は、冷凍サイクルの熱交換器に通風するための送風機を備えた冷却装置に関するものである。
【背景技術】
【０００２】
従来よりショーケース等の冷却装置では、機械室の底面を構成するユニットベース上に冷凍サイクルの圧縮機や凝縮器（熱交換器）が設置されると共に、ユニットベース上には更にこの凝縮器に通風するための送風機（凝縮器用送風機）が設置されている（例えば、特許文献１参照）。この場合、送風機はモータとこのモータの回転軸に取り付けられたファン（送風羽根）とから構成されており、前記モータをブラケットに取り付け、このブラケットを前記ユニットベース上面に固定することで、送風機は設置されていた。
【０００３】
図５は係る従来の冷却装置の構造を示している。この図において、１００はユニットベースであり、２はこのユニットベース１００上に配設された冷凍サイクルの熱交換器としての凝縮器である。また、３は送風機であり、モータ４とこのモータ４の回転軸５の先端に取り付けられたファン６から構成されている。モータ４はブラケット７に固定されており、このブラケット７がユニットベース１００上面に固定されている。１０１は凝縮器２の送風機３側のユニットベース１００上に配設されたファンケーシングであり、このファンケーシング１０１の真円形のファン孔内にファン６は配置されている。
【０００４】
この場合、ブラケット７はユニットベース１００から垂直に起立しており、また、送風機３のモータ４は、その回転軸５がこのブラケット７に対して直交する向きとなるようにブラケット７に取り付けられている関係上、回転軸５はユニットベース１と平行な水平状態とされている。一方、ファンケーシング１０１はユニットベース１００上に垂直に取り付けられており、従って、送風機３の回転軸５はファンケーシング１０１に対して直交する向きとされていた。
【特許文献１】特開平９−１４５２４５号公報
【発明の開示】
【発明が解決しようとする課題】
【０００５】
ここで、係る送風機３のモータ４の回転軸５には、スラスト方向（軸方向）の遊びが設けられている。そのため、凝縮器２の通風抵抗とファン６、モータ４のトルクバランスが或る一定のバランスとなると、この遊びに起因して回転軸５のファン６とは反対側の基端部が軸受けに衝突して発生する騒音が激しくなる問題があった。
【０００６】
これは上記バランスを崩すことで解消できる。一方、この種冷却装置では、凝縮器２のゴミ詰まりやモータの経年劣化などにより、通風抵抗が運転期間を通じて変化する。このような場合には騒音を完全に防ぐことは困難であるが、前記バランスを構造的に崩せば、上述のように通風抵抗が変化する場合にも対応可能である。
【０００７】
そのためには、モータ４のトルクを変更したり、ファン６を変更してモータ４とのバランスを変えるなどの方法があるが、何れもコストが高騰すると共に、熱交能力を含む全体のバランスが崩れる結果となって好ましくない。
【０００８】
本発明は、係る従来の技術的課題を解決するために成されたものであり、熱交換器に通風するための送風機から生ずる騒音を、簡単な構造で防止若しくは抑制した冷却装置を提供することを目的とする。
【課題を解決するための手段】
【０００９】
本発明の冷却装置は、冷凍サイクルの熱交換器に通風するための送風機を備えたものであって、送風機は、モータと、このモータの回転軸に取り付けられたファンとから成り、このファンは、所定のファンケーシング内に配置されると共に、モータは、その回転軸がファンケーシングと直交する向きに対して所定の角度で傾斜するように設けられていることを特徴とする。
【００１０】
請求項２の発明の冷却装置は、上記においてモータは、回転軸のファン側が高くなるように配置されていることを特徴とする。
【００１１】
請求項３の発明の冷却装置は、上記各発明において熱交換器及びファンケーシングをユニットベース上に配設すると共に、送風機を、ブラケットを介してユニットベース上に設置し、このブラケットを、ユニットベースと直交する方向に対して傾斜して設けたことを特徴とする。
【００１２】
請求項４の発明の冷却装置は、上記においてブラケットの底面が当接する位置のユニットベースに、ブラケット底面のファン側の部分に当接する凸部を、若しくは、ファンとは反対側の部分のブラケット底面が落ち込む凹所を形成したことを特徴とする。
【００１３】
請求項５の発明の冷却装置は、請求項３の発明においてユニットベースに当接するブラケット底面のファン側の部分に凸部を形成し、若しくは、ブラケット底面のファンとは反対側の部分全体を凹ませたことを特徴とする。
【００１４】
請求項６の発明の冷却装置は、請求項１又は請求項２において熱交換器及びファンケーシングをユニットベース上に配設すると共に、送風機を、ブラケットを介してユニットベース上に設置し、ファンケーシングを、ユニットベースと直交する方向に対して傾斜して設けたことを特徴とする。
【００１５】
請求項７の発明の冷却装置は、上記各発明においてファンが位置するファンケーシングのファン孔を、上下方向に長い長円形、若しくは、楕円形としたことを特徴とする。
【発明の効果】
【００１６】
本発明によれば、冷凍サイクルの熱交換器に通風するための送風機を備えた冷却装置において、送風機は、モータと、このモータの回転軸に取り付けられたファンとから成り、このファンは、所定のファンケーシング内に配置されると共に、モータは、その回転軸がファンケーシングと直交する向きに対して所定の角度で傾斜するように設けられているので、このファンがファンケーシングに対して傾斜するかたちとなり、騒音が激しくなる熱交換器の通風抵抗とファン、モータのトルクのバランスを崩すことができる。これにより、送風機から発生する騒音を低減することができるようになる。
【００１７】
特に、請求項２の如くモータの回転軸のファン側が高くなるように配置すれば、この傾斜によってモータの回転軸のファンとは反対側の端部は常にその軸受けに当接した状態で運転されることになる。これにより、当該回転軸のファンとは反対側の端部が軸受けに衝突することで発生する騒音を防止することができるようになる。
【００１８】
また、請求項３の発明によれば、上記各発明において熱交換器及びファンケーシングをユニットベース上に配設すると共に、送風機を、ブラケットを介してユニットベース上に設置し、このブラケットを、ユニットベースと直交する方向に対して傾斜して設けたので、簡単な構成で回転軸をファンケーシングと直交する向きに対して傾斜させ、送風機の低減を図ることが可能となる。
【００１９】
この場合、請求項４の如くブラケットの底面が当接する位置のユニットベースに、ブラケット底面のファン側の部分に当接する凸部を、若しくは、ファンとは反対側の部分のブラケット底面が落ち込む凹所を形成することで、極めて簡単な構造によりユニットベースに対して回転軸を傾斜させることが可能となる。特に、この場合には特別にブラケットを加工する必要が無いので、汎用性も増す。
【００２０】
また、請求項５の如くユニットベースに当接するブラケット底面のファン側の部分に凸部を形成し、若しくは、ブラケット底面のファンとは反対側の部分全体を凹ませることでも、極めて簡単な構造によりユニットベースに対して回転軸を傾斜させることが可能となる。
【００２１】
更に、請求項６の発明の如く熱交換器及びファンケーシングをユニットベース上に配設すると共に、送風機を、ブラケットを介してユニットベース上に設置し、ファンケーシングを、ユニットベースと直交する方向に対して傾斜して設けることでも簡単な構成で回転軸をファンケーシングと直交する向きに対して傾斜させ、送風機の低減を図ることが可能となる。
【００２２】
更にまた、請求項７の如くファンが位置するファンケーシングのファン孔を、上下方向に長い長円形、若しくは、楕円形とすることにより、ファンケーシングが、それと回転軸との傾斜に伴って傾斜するファンに接触すること無く、その周囲を良好に囲繞することができるようになる。これにより、通風性能の悪化も防止できるものである。
【発明を実施するための最良の形態】
【００２３】
以下、図面に基づき本発明の実施形態を詳述する。図１は本発明を適用した冷却装置１０の側面図を示している。尚、実施例の冷却装置１０は図示しない低温ショーケース等の冷却貯蔵庫の機械室内に設置されるものであり、この図において、１はユニットベースで、２は冷凍サイクルの熱交換器の一例としての凝縮器である。また、３は送風機であり、モータ４と、このモータ４の回転軸５の先端に取り付けられたファン（送風羽根。回転軸５に直交して取り付けられる。）６から構成されている。
【００２４】
このモータ４はブラケット７に固定されており、このブラケット７がユニットベース１の上面に固定されている。８は凝縮器２の送風機３側に設けられたファンケーシングであり、この凝縮器２及びファンケーシング８もユニットベース１の上面に配設されている。この場合、凝縮器２及びファンケーシング８はユニットベース１と直交する方向、即ち、垂直方向に設置されており、ファンケーシング８には後述するファン孔９が形成され、このファン孔９内にファン６は配置されている。
【００２５】
この場合、送風機３のモータ４は、その回転軸５がブラケット７に対して直交する向きとなるように当該ブラケット７に取り付けられている。また、このブラケット７の底面が当接する位置のユニットベース１上面には、図２に示すように凸部１Ａが形成されている。この凸部１Ａは、ブラケット７の底面のファン６側（ファンケーシング８側）の端部に当接する位置に形成されており、これにより、ブラケット７は垂直方向（水平方向のユニットベース１に直交する方向）に対して角度θでファン６側が高く傾斜してユニットベース１上に取り付けられることになる。
【００２６】
このように、ブラケット７がユニットベース１に傾斜して取り付けられるため、このブラケット７に直交する向きの回転軸５も、ユニットベース１に対して角度θだけファン６側が高くなった状態で傾斜することになる。更に、回転軸５がこのように傾斜する関係で、ファン６もブラケット７と平行となるようにユニットベース１に対して角度θだけ傾斜する。
【００２７】
一方、ファンケーシング８もユニットベース１上に垂直に取り付けられているので、回転軸５は、このファンケーシング８と直交する方向（水平方向）に対して角度θだけファン６側が高くなった状態で傾斜することになる。そのため、ファン６もファンケーシング８に対して上側が当該ファンケーシング８から離間する方向に角度θだけ傾斜するかたちとなる。そこで、ファンケーシング８のファン孔９は、図３の如く縦方向の寸法Ａが横方向の寸法Ｂよりも大きい（上下方向に長い）長円形（若しくは楕円形でもよい）とされており、これにより、ファン６の周囲はファン孔９により略均等の隙間を存して囲繞されることになる。
【００２８】
以上の構成で、送風機３のモータ４が運転されると、回転軸５が回転される。これにより、それに取り付けられたファン６が回転して凝縮器２の方向から空気を吸引する。これにより、凝縮器２は図１に矢印で示すように通風され、内部を流れる高温冷媒を空冷する。
【００２９】
この場合、モータ４の回転軸５にはスラスト方向（軸方向）の遊びがあるが、上述の如くモータ４は、その回転軸５がファンケーシング８と直交する向きに対して角度θで傾斜するように設けられているので、ファン６がファンケーシング８に対して傾斜するかたちとなり、騒音が激しくなる凝縮器２の通風抵抗とファン６、モータ４のトルクのバランスを崩すことができる。これにより、送風機３の回転軸５の基端と軸受け間で騒音が発生するバランスを崩壊させて、騒音を低減することができるようになる。
【００３０】
特に、上述の如くファン６側が高くなるように回転軸５がユニットベース１（水平方向）に対して傾斜されるために、回転軸５のファン６とは反対側の基端は軸受けに当接したままの状態となる。従って、回転により回転軸５の基端がこの軸受けから離間し、その後接近して衝突し、それが繰り返されることで発生する騒音は効果的に解消されるようになる。
【００３１】
この場合の、傾斜角度θが大きすぎると今度は凝縮器２に通風するための性能が悪化することになる。そこで、このθを０°より大きく、１０°以下の範囲（０°＜θ≦１０°）、好ましくは４°以上、６°以下（４°≦θ≦６°）、実施例ではθ＝５°とすることで、係る通風抵抗の悪化を生起すること無く、騒音の発生を防止できることが実験で確かめられた。
【００３２】
ここで、実施例では図２の如く凸部１Ａをユニットベース１に設けたが、それに限らず、回転軸５のファン６とは反対側の基端部側のブラケット７の底面が落ち込む凹所をユニットベース１に形成しても同様の効果を奏する。特に、この場合にはユニットベース１以外は構造変更しなくても済むので、汎用性が増すと共に、送風機３全体の性能変化も来さない。
【００３３】
また、係るユニットベース１の構造変更以外に、ブラケット７側の構造を変更してもよい。この場合は、例えば図４の如くブラケット７の底面のファン６側の端部に下方に突出する凸部７Ａを形成すれば、同様に回転軸５はユニットベース１に対してファン６側が高く傾斜することになる。また、それとは逆にブラケット７底面のファン６とは反対側の部分全体を凹ませることによっても同様の効果を奏する。
【００３４】
更に、上記各実施例ではブラケット７をユニットベース１と直交する方向に対して傾斜させたが、それに限らず、ブラケット７はユニットベース１と直交する方向（垂直方向）のままとし、ファンケーシング８をユニットベース１と直交する方向（垂直方向）に対して所定角度で傾斜させてもよい。それによっても簡単な構造で騒音が激しくなる凝縮器２の通風抵抗とファン６、モータ４のトルクのバランスを崩し、送風機３の騒音を低減することができるようになる。
【００３５】
このように本発明によれば、極めて簡単な構造により送風機３の回転軸４のファン６とは反対側の基端が軸受けに衝突することで発生する騒音を防止することができるようになる。そして、ファンケーシング８のファン孔９も、上下方向に長い長円形（若しくは、楕円形）としているので、ファンケーシング８は、回転軸５の傾斜に伴って傾斜するファン６に接触すること無く、その周囲を良好に囲繞することができるようになる。これにより、通風性能の悪化も防止できる。
【００３６】
尚、実施例では熱交換器の一例として凝縮器を採り上げたが、それに限らず、冷却装置の冷却器にも本発明は有効である。
【図面の簡単な説明】
【００３７】
【図１】本発明の冷却装置の側面図である。
【図２】図１の冷却装置のブラケット下部とユニットベースの拡大側面図である。
【図３】図１のファンケーシングの正面図である。
【図４】本発明の他の実施例のブラケット下部とユニットベースの拡大側面図である。
【図５】従来の冷却装置の側面図である。
【符号の説明】
【００３８】
１  ユニットベース
１Ａ、７Ａ  凸部
２  凝縮器（熱交換器）
３  送風機
４  モータ
５  回転軸
６  ファン
７  ブラケット
８  ファンケーシング
９  ファン孔
１０  冷却装置
【図１】
2006284017.tif 000003
【図２】
2006284017.tif 000004
【図３】
2006284017.tif 000005
【図４】
2006284017.tif 000006
【図５】
2006284017.tif 000007